(57)【要約】 【課題】  モニターをオーディオ機器の前に取り付けても、モニターの高さを自在に変えてオーディオ機器の操作を容易にし、かつ、高さ変更後にその姿勢を維持するカーナビゲーションのモニターの取付支持具を提供すること。【解決手段】  前面が上向き折り曲げられたオーディオ機器４に取り付ける取付ステー部材３と、この取付ステー部材３の前面32に固定される断面がコの字形の溝11を有する支持部材２と、この支持部材２の断面がコの字形の溝22を摺動し、モニター５の裏蓋に取り付ける取付金具13を有する摺動部材１とを具備し、摺動部材１には間隔をあけてあけられた複数の係合穴11を有し、支持部材２には、摺動部材１の複数の係合穴11に係止する係止部材27をスプリング28により押し付けるクリックストップ機構を設けたものである。【選択図】      図１
2006123567.tif 000002
【特許請求の範囲】
【請求項１】
前面が上向きに折り曲げられたオーディオ機器に取り付ける取付ステー部材と、該取付ステー部材の前面に固定される断面がコの字形の溝を有する支持部材と、該支持部材の断面がコの字形の溝を摺動し、モニターの裏蓋に取り付ける取付金具を有する摺動部材とを具備し、
上記摺動部材には間隔をあけてあけられた複数の係合穴を有し、上記支持部材には、上記摺動部材の複数の係合穴に係止する係止部材をスプリングにより押し付けるクリックストップ機構を設けたことを特徴とするカーナビゲーションのモニターの取付支持具。
【請求項２】
前面が上向きに折り曲げられたオーディオ機器収納口の天井面に取り付ける取付ステー部材と、該取付ステー部材の前面に固定される断面がコの字形の溝を有する支持部材と、該支持部材の断面がコの字形の溝を摺動し、モニターの裏蓋に取り付ける取付金具を有する摺動部材とを具備し、
上記摺動部材には間隔をあけてあけられた複数の係合穴を有し、上記支持部材には、上記摺動部材の複数の係合穴に係止する係止部材をスプリングにより押し付けるクリックストップ機構を設けたことを特徴とするカーナビゲーションのモニターの取付支持具。
【発明の詳細な説明】
【技術分野】
【０００１】
この発明は、カーナビゲーションのモニターを車体に取り付ける取付支持具に関し、特に、モニターを上下に移動可能に構成したモニター取付支持具に関する。
【背景技術】
【０００２】
通常、カーナビゲーションのモニターは車のダッシュボードの上に取り付けるオンダッシュタイプと呼ばれている取り付け方と、車のダッシュボードに収まるカーオーディオのヘッドユニットを収納するためのスロットを利用したインダッシュタイプと呼ばれている取り付け方とがある。
【０００３】
オンダッシュタイプに用いられる従来のモニター支持具は、下記特許文献１に開示されているように、自動車のダッシュボード上の決められた位置にモニターを固定し支持するものである。
【０００４】
他方、インダッシュタイプに用いられる従来のモニター支持具は、下記特許文献２に開示されているように、自動車のダッシュボードの収納空間にモニターを収納しておき、使用する際にはモニターを引き出して、モニターをダッシュボードの手前に固定する。
【特許文献１】特開平１０−２８１３９３号公報
【特許文献２】特開平１０−３２９６１６号公報
【発明の開示】
【発明が解決しようとする課題】
【０００５】
しかし、オンダッシュタイプでは、モニターがダッシュボードの上に位置しているのでにモニターは見やすいが、逆に使用しない際には運転中の視界を妨げることになる。
【０００６】
一方、インダッシュタイプでは、使用しない際には、ダッシュボードに格納できて見た目はすっきりするが、モニターの大きさが格納の都合上、制約がある。またオーディオの操作パネルは空調の吹出口の真下に位置していることが多く、特に、後付けのカーナビゲーションにおいては、モニターを引き出すと空調の吹出口を遮ることや、オーディオ機器を操作をする際にモニターが邪魔になるという欠点があった。
【０００７】
そこで、この発明のモニターの取付支持具は、インダッシュタイプのように、モニターのオーディオ機器の前に取り付けても、モニターの高さを自在に変えてオーディオ機器の操作を容易にし、高さ変更後にその姿勢を維持するように構成したものである。
【課題を解決するための手段】
【０００８】
この発明のカーナビゲーションのモニターの取付支持具は、前面が上向きに折り曲げられたオーディオ機器４に取り付ける取付ステー部材３と、この取付ステー部材３の前面32に固定される断面がコの字形の溝22を有する支持部材２と、この支持部材２の断面がコの字形の溝22を摺動し、モニター５の裏蓋に取り付ける取付金具13を有する摺動部材１とを具備し、摺動部材１には間隔をあけてあけられた複数の係合穴11を有し、支持部材２には、摺動部材１の複数の係合穴11に係止するボールなどの係止部材27をスプリング28により押し付けるクリックストップ機構を設けたものである。
【０００９】
取付ステー部材３をオーディオ機器４に取り付けることなく、ダッシュボードのオーディオ機器収納口の天井面に固定してもよいのである。
【発明の効果】
【００１０】
この発明の取付支持具を用いれば、ダッシュボードの収納空間に収納されているオーディオ機器を利用して簡便にモニターを取り付けることが可能である。
【００１１】
また、クリックストップ機構を設けて、モニターの高さを自在に変えることができ、かつ、高さ変更後に振動を受けてもその姿勢を維持することができる。
【００１２】
通常、空調の吹出口を遮らないように、モニターの位置を下げておくと運転者の視界を妨げることもなく、オーディオ機器を操作するときは、モニターの位置を上げると操作が容易になる。
【発明を実施するための最良の形態】
【００１３】
（第１の実施形態）
この発明のモニター取付支持具は、図１の斜視図および図２の組立図に示すように、オーディオ機器４（図３参照）を利用して取り付ける取付ステー部材３と、モニター４に固定する摺動部材１と、取付ステー部材３の前面において摺動部材１を上下方向へ摺動可能に支持する支持部材２とにより構成され、摺動部材１を所望の高さに停止させるクリックストップ機構を備えている。
【００１４】
取付ステー部材３は、図３の断面図に示すように、オーディオ機器４と収納空間との間の隙間に収まるように、オーディオ機器４の外形に合わせて適宜に段部31を成形したものである。この取付ステー部材３の後端34は、オーディオ機器４の裏側に固定するために下向きに折り曲げられてビスを挿通する穴35があけられており、前面32は、上方に折り曲げられて、支持部材２を固定するネジ穴33があけられており、取付ネジ26により支持部材２を固定する。
【００１５】
支持部材２には、横方向にあけられたねじ穴21と、縦方向に形成された断面がコの字形の溝22と、前面にあけられたネジ穴25とを有している。
【００１６】
摺動部材１は、支持部材２の断面がコの字形の溝22と同じ幅であって、複数の係合穴11と、左右両側に形成した上下両端が閉じた案内溝12と、ネジ止めによりモニター４に嵌合させる取付金具13と、この取付金具13をねじ止めする穴14とを備えている。なお、取付金具13は、モニターの裏蓋の溝と嵌合させるための溝15が両側部に形成されている。
【００１７】
さらに、摺動部材１の案内溝12に係合する２つの案内板23を有しており、この案内板23は、支持部材２の形状に合わせて丸みがつけられており、支持部材２にねじ止めする穴があけられている。
【００１８】
次に、これらの部材を組み立てる手順を説明する。まず、取付ステー部材３の前面32に支持部材２をビス26によってねじ止めする。
【００１９】
摺動部材１の穴14にビス17を挿通して、取付金具13のねじ穴16にねじ込んで固定する。この取付金具13を固定した摺動部材１を支持部材２の断面がコの字形の溝22に嵌め込み、２つの案内板23を摺動部材１の両側の案内溝12に挿し込んでビス24によって支持部材２に固定することにより、摺動部材１を摺動自在に支持する。
【００２０】
支持部材２の２つのねじ穴21にそれぞれボール27とコイルスプリング28を挿し込んで六角ねじ29をねじ込む。両六角ねじ29を回すことにより、ボール27などの係止部材および摺動部材１に押し付けるコイルスプリング４の弾力を調整することができる。これらの両六角ネジ29にもコイルバネ28により弾力が作用しているので、両六角ネジ29は緩み難い。このように組み立てて図１の斜視図に示すように完成する。
【００２１】
車体に取り付ける際には、ダッシュボードの収納空間よりオーディオ機器を抜き出して、図３の断面図に示すように、オーディオ機器４の上面に取付ステー部材３を重ね、下向きに折り曲げられた後端34の穴35にビスを挿通してねじ止めしたのち、収納空間に挿し込んで固定すると、摺動部材１を支持した支持部材２がダッシュボードの前面に突出する。
【００２２】
モニター５の裏蓋に形成された嵌合溝を摺動部材１の取付金具13に上から挿し込むことにより、モニター５を取り付けることができる。
【００２３】
取り付けたモニター５の高さを変更する場合には、モニター５を手で上下させることにより二点鎖線51、52で示すように移動させることができる。通常、空調の吹出口61を遮らないように二点鎖線52で示すようにオーディオ機器４の前面に下げておき、オーディオ機器４を操作する際には、二点鎖線51で示すように高く上げればよいのである。
【００２４】
このように、モニター５を上下させるとき、摺動部材１の複数の係合穴11とコイルスプリング28で押されたボール27などの係止部材が係合してクリックストップ機構として動作するので、モニターの高さを変更した後に振動を受けてもその高さを維持することができる。
【００２５】
なお、摺動部材１の案内溝12の上下両端が閉じて、案内板23によって移動範囲が制限されているので、モニター５の移動範囲も制限されて外れることはない。
【００２６】
以上で説明した実施の形態においては、クリックストップ機構の２つのねじ穴21を対向するように配置させているが、摺動部材１の複数の係合穴11のピッチの半分の高さだけ、２つのねじ穴21をずらせて配置しておくと、クリックストップ位置を二倍にすることができる。
【００２７】
（第２の実施形態）
ダッシュボードの収納口とオーディオ機器４との隙間が狭くて、第１の実施形態の取付ステー部材３を使用できない場合には、図４の斜視図に示すように、取付ステー部材３Ａの長さを短くして、取付用の穴36をあける。
【００２８】
車体に取り付ける際には、ダッシュボードの収納口よりオーディオ機器を抜き出して、図４に示すモニター取付支持具を収納口に入れて、収納口の天井面に対して穴36にねじ38を通してねじ止めする。
【００２９】
そして、オーディオ機器４を収納口に挿し込んで固定すると、摺動部材１を支持した支持部材２をダッシュボードの前面に突出させることができる。摺動部材１の取付金具13にモニター５の裏蓋に形成された嵌合溝を上から挿し込むことにより、第１の実施形態と同様にモニター５を取り付けることができる。
【図面の簡単な説明】
【００３０】
【図１】この発明の第１の実施形態のモニター取付支持具の組み立てた状態を示す斜視図、
【図２】第１の実施形態のモニター取付支持具の組立図、
【図３】第１の実施形態のモニター取付支持具によりモニターをダッシュボードに取り付けた状態を示す縦断面図、
【図４】第２の実施形態のモニター取付支持具の組み立てた状態を示す斜視図である。
【符号の説明】
【００３１】
１  摺動部材
２  支持部材
３、３Ａ  取付ステー部材
４  オーディオ機器
５  モニター
６  ダッシュボード
11   複数の係合穴
12  案内溝
13  取付金具
14  取付穴
16、21、25  ねじ穴
22  断面がコの字形の溝
23  案内板
24  ビス
26  取付ネジ
27  ボール
28  コイルスプリング
29  六角ネジ
61  空調の吹出口
【図１】
2006123567.tif 000003
【図２】
2006123567.tif 000004
【図３】
2006123567.tif 000005
【図４】
2006123567.tif 000006